(57)【要約】【課題】調整チャートの読み取りを適切に実行する。【解決手段】画像形成装置又は画像形成システムにおける画像形成を制御する画像形成制御方法であって、調整チャートの読み取りに対応して描写されたイラスト画像データを記憶部に記憶しておき、画像形成部で調整チャートを画像形成し、該調整チャートが画像読取部で読み取られて生成された調整用画像データを解析し、該解析結果に基づいて画像形成部を調整する際に、調整用画像データの解析結果に対応するイラスト画像データを選択し、当該イラスト画像データの表示用データを生成する。【選択図】図１
2016039522.tif 000002
【特許請求の範囲】
【請求項１】
画像データに基づいて画像形成する画像形成部と、
前記画像形成部における画像形成を制御する制御部と、
調整チャートの読み取りに対応して描写されたイラスト画像データを記憶する記憶部と、
を有する画像形成装置であって、
前記制御部は、前記画像形成部で前記調整チャートを画像形成し、該調整チャートが画像読取部で読み取られて生成された調整用画像データを解析し、該解析結果に基づいて前記画像形成部を調整する際に、前記調整用画像データの解析結果に対応するイラスト画像データを選択し、当該イラスト画像データの表示用データを生成する、よう制御する、
ことを特徴とする画像形成装置。
【請求項２】
前記制御部は、
前記調整チャートの複数の箇所を複数回に分けて読み取る際に、
前記調整用画像データの解析結果が正常であれば次の読み取りに対応する前記イラスト画像データを選択して当該イラスト画像データの表示用データを生成し、
前記調整用画像データの解析結果がエラーであれば次の再度同じ箇所の読み取りに対応する前記イラスト画像データを選択して当該イラスト画像データの表示用データを生成する、よう制御する、
ことを特徴とする請求項１に記載の画像形成装置。
【請求項３】
前記記憶部は、前記調整チャートの読み取り面の反対面がイラストとして描写されている前記イラスト画像データを記憶する、
ことを特徴とする請求項１乃至請求項２のいずれか一項に記載の画像形成装置。
【請求項４】
前記記憶部は、前記調整チャートの読み取り面の反対面の一部分が強調されたイラストとして描写されている前記イラスト画像データを記憶する、
ことを特徴とする請求項１乃至請求項３のいずれか一項に記載の画像形成装置。
【請求項５】
前記制御部は、前記調整用画像データを解析してエラーが検出された場合に、当該エラーを解消するように前記調整チャートの読み取りの様子がイラストとして描写された前記イラスト画像データを前記記憶部から読み出して、当該イラスト画像データの表示用データを生成する、よう制御する、
ことを特徴とする請求項１乃至請求項４のいずれか一項に記載の画像形成装置。
【請求項６】
前記調整用画像データは、前記画像形成部の画像形成により出力された前記調整チャートが、画像読取装置によって読み取られて生成されたものである、
ことを特徴とする請求項１乃至請求項５のいずれか一項に記載の画像形成装置。
【請求項７】
前記制御部は、
前記調整チャートの複数の箇所を複数回に分けて読み取る際に、
前記調整チャートを読み取った回数を含む表示用データを生成する、よう制御する、
ことを特徴とする請求項１乃至請求項６のいずれか一項に記載の画像形成装置。
【請求項８】
画像データに基づいて画像形成する画像形成部と、
前記画像形成部における画像形成を制御する制御部と、
前記画像形成部の画像形成により出力された調整チャートを読み取って生成した前記調整用画像データを前記制御部に供給する画像読取装置と、
前記調整チャートの読み取りに対応して描写されたイラスト画像データを記憶する記憶部と、
各種情報を表示する表示部と、
を有する画像形成システムであって、
前記制御部は、前記画像形成部で前記調整チャートを画像形成し、該調整チャートが前記画像読取装置で読み取られて生成された調整用画像データを解析し、該解析結果に基づいて前記画像形成部を調整する際に、前記調整用画像データの解析結果に対応するイラスト画像データを選択し、当該イラスト画像データを前記表示部に表示する、よう制御する、
ことを特徴とする画像形成システム。
【請求項９】
前記制御部は、
前記調整チャートの複数の箇所を複数回に分けて読み取る際に、
前記調整用画像データの解析結果が正常であれば次の読み取りに対応する前記イラスト画像データを選択して当該イラスト画像データを前記表示部に表示し、
前記調整用画像データの解析結果がエラーであれば次の再度同じ箇所の読み取りに対応する前記イラスト画像データを選択して当該イラスト画像データを前記表示部に表示する、よう制御する、
ことを特徴とする請求項８に記載の画像形成システム。
【請求項１０】
前記記憶部は、前記調整チャートの読み取り面の反対面がイラストとして描写されている前記イラスト画像データを記憶する、
ことを特徴とする請求項８乃至請求項９のいずれか一項に記載の画像形成システム。
【請求項１１】
前記記憶部は、前記調整チャートの読み取り面の反対面の一部分が強調されたイラストとして描写されている前記イラスト画像データを記憶する、
ことを特徴とする請求項８乃至請求項１０のいずれか一項に記載の画像形成システム。
【請求項１２】
前記制御部は、前記調整用画像データを解析してエラーが検出された場合に、当該エラーを解消するように前記調整チャートの読み取りの様子がイラストとして描写された前記イラスト画像データを前記記憶部から読み出して、当該イラスト画像データを前記表示部に表示する、よう制御する、
ことを特徴とする請求項８乃至請求項１１のいずれか一項に記載の画像形成システム。
【請求項１３】
前記画像読取装置は前記画像形成部に接続されているか、又は、前記画像読取装置は前記画像形成部と通信可能に構成されており、
前記調整用画像データは、前記画像形成部の画像形成により出力された前記調整チャートが前記画像読取装置によって読み取られて生成されたものである、
ことを特徴とする請求項８乃至請求項１２のいずれか一項に記載の画像形成システム。
【請求項１４】
前記制御部は、
前記調整チャートの複数の箇所を複数回に分けて読み取る際に、
前記調整チャートを読み取った回数を、前記イラスト画像データと共に表示部に表示する、よう制御する、
ことを特徴とする請求項８乃至請求項１３のいずれか一項に記載の画像形成システム。
【請求項１５】
画像形成装置又は画像形成システムにおける画像形成を制御する画像形成制御方法であって、
調整チャートの読み取りに対応して描写されたイラスト画像データを記憶部に記憶しておき、
前記画像形成部で前記調整チャートを画像形成し、
該調整チャートが画像読取装置で読み取られて生成された調整用画像データを解析し、
該解析結果に基づいて前記画像形成を調整する際に、前記調整用画像データの解析結果に対応するイラスト画像データを選択して表示部に表示する、
ことを特徴とする画像形成制御方法。
【請求項１６】
前記調整チャートの複数の箇所を複数回に分けて読み取る際に、
前記調整用画像データの解析結果が正常であれば次の読み取りに対応する前記イラスト画像データを選択して当該イラスト画像データを表示部に表示し、
前記調整用画像データの解析結果がエラーであれば次の再度同じ箇所の読み取りに対応する前記イラスト画像データを選択して当該イラスト画像データを表示部に表示する、
ことを特徴とする請求項１５に記載の画像形成制御方法。
【請求項１７】
前記イラスト画像データとして、前記調整チャートの読み取り面の反対面が描写されたイラストを記憶しておく、
ことを特徴とする請求項１５乃至請求項１６のいずれか一項に記載の画像形成制御方法。
【請求項１８】
前記イラスト画像データとして、前記調整チャートの読み取り面の反対面の一部分が強調されたイラストを記憶しておく、
ことを特徴とする請求項１５乃至請求項１７のいずれか一項に記載の画像形成制御方法。
【請求項１９】
前記調整用画像データを解析してエラーが検出された場合に、当該エラーを解消するように前記調整チャートの読み取りの様子がイラストとして描写された前記イラスト画像データを前記記憶部から読み出して、当該イラスト画像データを表示する、
ことを特徴とする請求項１５乃至請求項１８のいずれか一項に記載の画像形成制御方法。
【請求項２０】
画像形成装置又は画像形成システムの画像形成により前記調整チャートが出力され、
前記画像形成装置に含まれる画像読取装置又は前記画像形成装置若しくは前記画像形成システムに対して通信可能に構成された画像読取装置のいずれかにより、前記調整チャートが読み取られて前記調整用画像データが生成される、
ことを特徴とする請求項１５乃至請求項１９のいずれか一項に記載の画像形成制御方法。
【請求項２１】
前記調整チャートの複数の箇所を複数回に分けて読み取る際に、
前記調整チャートを読み取った回数を表示する、
ことを特徴とする請求項１５乃至請求項２０のいずれか一項に記載の画像形成制御方法。
【発明の詳細な説明】
【技術分野】
【０００１】
本発明は、画像形成装置及び画像形成システム並びに画像形成制御方法に関する。特に、調整チャートを適切に扱う技術に関する。
【背景技術】
【０００２】
用紙の両面に画像を形成可能な画像形成装置において、画像形成結果物の用途によっては両面の画像位置が合致していることが重要な場合がある。
このために、専用のパターンが両面に形成されたチャートを画像形成装置で出力し、オペレータが両面のチャートの位置を測定し、その測定結果を操作部から入力することで、画像形成装置内部で両面の位置調整を行う手法が存在していた。但し、この手法によると、オペレータの測定のばらつき、測定結果の入力ミスなど、人手に起因する誤差の影響が大きく、正確な両面位置調整を行うことが困難であった。
【０００３】
一方、このような人手に起因する誤差を排除すべく、専用のチャートをスキャナで読み取り、画像形成装置内部で読み取り結果を解析して両面位置調整を行う手法も存在している。
【０００４】
この場合には、スキャナが有する読み取り誤差の影響を無くすため、専用チャートの表面の長手方向の一端と他端、専用チャートの裏面の長手方向の一端と他端、をスキャナの同じ位置で読み取る必要がある。
【０００５】
なお、専用チャートを用いて用紙両面の位置調整を実行することについては、以下の特許文献などに幾つかの提案がなされている。
【先行技術文献】
【特許文献】
【０００６】
【特許文献１】特開２００２−２３９９１号公報
【発明の概要】
【発明が解決しようとする課題】
【０００７】
以上のようにスキャナを用いて専用チャートを読み取って用紙両面の位置調整を実行するには、専用チャート表面の長手方向の一端と他端、専用チャート裏面の長手方向の一端と他端、をスキャナの同じ位置で読み取る必要がある。
【０００８】
そのためには、一例として、以下の読み取り手順に従う必要がある。まず、専用チャート表面の長手方向の一端を、スキャナの特定の読み取り位置で読み取る。次に、専用チャート表面を１８０°回転させて、専用チャート表面の長手方向の他端を、先ほどと同じスキャナの特定の読み取り位置で読み取る。次に、専用チャートを裏返して、専用チャート裏面の長手方向の一端を、先ほどと同じスキャナの特定の読み取り位置で読み取る。次に、専用チャート表面を１８０°回転させて、専用チャート裏面の長手方向の他端を、先ほどと同じスキャナの特定の読み取り位置で読み取る。
【０００９】
ここで、専用チャートをセットする際の読み取り位置がずれると、専用チャート内で画像形成位置のずれが発生していると認識されてしまう。従って、必要のない補正が実行されて、逆に位置ずれが発生してしまうことになる。
【００１０】
また、専用チャートをセットする際の読み取りの順番がずれると、専用チャート内の画像形成位置のずれが、別な位置における位置ずれとして認識されて補正される。このため、本来の位置ずれは補正されず、位置ずれのない別な位置で必要のない補正がなされることになる。
【００１１】
以上の特許文献１では、用紙束の最終頁と開始頁とに、「ｘｘして下さい」等といったメッセージを、消えるインクを用いて印刷することで、オペレータに正確な用紙の載置を促すようにしている。但し、事前に用紙載置の手順を告知するだけであり、用紙載置が不適切だった場合の対処については何ら配慮されていない。
【００１２】
また、調整チャートをスキャナで読み取って各種調整を実行する手法において、調整チャートの載置に不具合があった場合に、スキャナで読み取られた調整チャートの実際の画像を表示して、オペレータに告知する手法も存在している。
【００１３】
すなわち、この場合には、スキャナの読み取り面における不具合の結果そのものの画像が表示される。しかし、その画像を見たオペレータとしては、どのようにして不具合を解消するか、瞬時に直感的に理解することができず、調整チャートの読み取りの不具合を解消できないという問題がある。
【００１４】
本発明は、調整チャートを読み取って画像形成装置の各種調整を実行する場合に、調整チャートの読み取りを適切に実行することが可能な画像形成装置及び画像形成システム並びに画像形成制御方法を提供することを目的とする。
【課題を解決するための手段】
【００１５】
上述の課題を解決する一態様としての画像形成装置及び画像形成システム並びに画像形成制御方法は、以下のように構成される。
（１）本発明は、画像データに基づいて画像形成する画像形成部と、前記画像形成部における画像形成を制御する制御部と、調整チャートの読み取りに対応して描写されたイラスト画像データを記憶する記憶部と、を有する画像形成装置、若しくは、画像形成システム、又は、画像形成装置や画像形成システムにおける画像形成制御方法であって、前記制御部の制御により、前記画像形成部で前記調整チャートを画像形成し、該調整チャートが画像読取部で読み取られて生成された調整用画像データを解析し、該解析結果に基づいて前記画像形成部を調整する際に、前記調整用画像データの解析結果に対応するイラスト画像データを選択し、当該イラスト画像データの表示用データを生成する。
【００１６】
（２）以上の（１）において、前記制御部の制御により、前記調整チャートの複数の箇所を複数回に分けて読み取って一連の調整を実行する際に、前記調整用画像データの解析結果が正常であれば次の読み取りに対応する前記イラスト画像データを選択して当該イラスト画像データの表示用データを生成し、前記調整用画像データの解析結果がエラーであれば次の再度同じ箇所の読み取りに対応する前記イラスト画像データを選択して当該イラスト画像データの表示用データを生成する。
【００１７】
（３）以上の（１）〜（２）において、前記記憶部は、前記調整チャートの読み取り面の反対面がイラストとして描写されている前記イラスト画像データを記憶する。
（４）以上の（１）〜（３）において、前記記憶部は、前記調整チャートの読み取り面の反対面の一部分が強調されたイラストとして描写されている前記イラスト画像データを記憶する。
【００１８】
（５）以上の（１）〜（４）において、前記調整用画像データを解析してエラーが検出された場合に、当該エラーを解消するように前記調整チャートの読み取りの様子がイラストとして描写された前記イラスト画像データを前記記憶部から読み出して、当該イラスト画像データの表示用データを生成する。
【００１９】
（６）以上の（１）〜（５）において、前記調整用画像データは、前記画像形成部の画像形成により出力された前記調整チャートが、画像読取装置によって読み取られて生成されたものである。
【００２０】
（７）以上の（１）〜（６）において、前記調整チャートの複数の箇所を複数回に分けて読み取って一連の調整を実行する際に、前記調整チャートを読み取った回数を含む表示用データを生成する。
【発明の効果】
【００２１】
上述の課題を解決する一態様としての画像形成装置及び画像形成システム並びに画像形成制御方法では、以下のような効果が得られる。
（１）本発明では、画像形成部で調整チャートを画像形成し、該調整チャートを画像読取部で読み取って調整用画像データを生成し、該調整用画像データを解析し、該解析結果に基づいて画像形成部を調整する。この際に、調整用画像データの解析結果に対応するイラスト画像データを選択し、当該イラスト画像データを表示する。
【００２２】
これにより、調整チャートを読み取って画像形成装置の各種調整を実行する場合に、調整チャートの読み取りを適切に実行することが可能になる。
（２）以上の（１）において、調整チャートの複数の箇所を複数回に分けて読み取って一連の調整を実行する際に、調整用画像データの解析結果が正常であれば、次の読み取りに対応するイラスト画像データを選択して当該イラスト画像データを表示する。また、調整チャートの複数の箇所を複数回に分けて読み取って一連の調整を実行する際に、調整用画像データの解析結果がエラーであれば、次の再度同じ箇所の読み取りに対応するイラスト画像データを選択して当該イラスト画像データを表示する。
【００２３】
これにより、調整チャートを読み取って画像形成装置の各種調整を実行する場合に、調整チャートの読み取り結果に応じて次の読み取りに対応するイラスト画像データや同じ読み取りに対応するイラスト画像データを表示することになり、調整チャートの読み取りを適切に実行することが可能になる。
【００２４】
（３）以上の（１）〜（２）において、調整チャートの読み取り面の反対面、すなわち、調整チャートを読取部に載置した際に外側になる面のオペレータから見た状態をイラストとして表示することになる。この結果、オペレータはイラストに従って調整チャートの載置を適切に実行できる。これにより、正しく載置された調整チャートの読み取りを適切に実行することが可能になる。また、オペレータから見た状態をイラストとして表示することで、見間違いや見逃しといったオペレータのミスを防止することも可能になる。
【００２５】
（４）以上の（１）〜（３）において、調整チャートの読み取り面の反対面の一部分が強調されたイラスト、すなわち、調整チャートを読取部に載置した際に外側になる面のオペレータから見た状態について一部強調状態をイラストとして表示することになる。この結果、オペレータはイラストに従って、調整チャートの載置を適切に実行できる。これにより、正しく載置された調整チャートの読み取りを適切に実行することが可能になる。また、オペレータから見た状態のイラストについて一部領域を拡大して表示することで、見間違いや見逃しといったオペレータのミスを防止することも可能になる。
【００２６】
（５）以上の（１）〜（４）において、調整用画像データを解析してエラーが検出された場合に、当該エラーを解消するように調整チャートの読み取りの様子が描写されたイラストを表示するため、エラーを解消するように調整チャートの載置を適切に実行して、その読み取りを適切に実行することが可能になる。
【００２７】
（６）以上の（１）〜（５）において、画像形成装置に含まれる画像読取装置、又は、画像形成装置若しくは画像形成システムに対して通信可能に構成された画像読取装置のいずれかにより、調整チャートを読み取って調整用画像データを生成するため、いずれかの画像読取装置で調整チャートを適切に読み取って、画像形成装置の各種調整を実行することが可能になる。
【００２８】
（７）以上の（１）〜（６）において、調整チャートの複数の箇所を複数回に分けて読み取って一連の調整を実行する際に、調整チャートを読み取った回数を表示することで、調整チャートの読み取り進行状況を把握し易くなり、調整チャートを適切に読み取って、画像形成装置の各種調整を実行することが可能になる。
【図面の簡単な説明】
【００２９】
【図１】本発明の実施形態の画像形成装置の概略構成を示す構成図である
【図２】本発明の実施形態の画像形成システムの概略構成を示す構成図である
【図３】本発明の実施形態における調整チャートの様子を示す説明図である。
【図４】本発明の実施形態における調整チャートの様子を示す説明図である。
【図５】本発明の実施形態における調整チャートの様子を示す説明図である。
【図６】本発明の実施形態における調整チャートの様子を示す説明図である。
【図７】本発明の実施形態における測定用背景シートの様子を示す説明図である。
【図８】本発明の実施形態における測定用背景シートの様子を示す説明図である。
【図９】本発明の実施形態における測定用背景シートの様子を示す説明図である。
【図１０】本発明の実施形態における調整チャートと測定用背景シートの載置の様子を示す説明図である。
【図１１】本発明の第１実施形態の動作を示すフローチャートである。
【図１２】本発明の実施形態における表示画面の様子を示す説明図である。
【図１３】本発明の実施形態における表示画面の様子を示す説明図である。
【図１４】本発明の実施形態における表示画面の様子を示す説明図である。
【図１５】本発明の実施形態における表示画面の様子を示す説明図である。
【図１６】本発明の実施形態における表示画面の様子を示す説明図である。
【図１７】本発明の実施形態における表示画面の様子を示す説明図である。
【図１８】本発明の実施形態における表示画面の様子を示す説明図である。
【図１９】本発明の実施形態における表示画面の様子を示す説明図である。
【図２０】本発明の実施形態における表示画面の様子を示す説明図である。
【図２１】本発明の実施形態における表示画面の様子を示す説明図である。
【図２２】本発明の実施形態における表示画面の様子を示す説明図である。
【図２３】本発明の実施形態における表示画面の様子を示す説明図である。
【図２４】本発明の実施形態における表示画面の様子を示す説明図である。
【図２５】本発明の実施形態における表示画面の様子を示す説明図である。
【図２６】本発明の実施形態における表示画面の様子を示す説明図である。
【図２７】本発明の実施形態における表示画面の様子を示す説明図である。
【発明を実施するための形態】
【００３０】
以下、図面を参照して、本発明に係る画像形成装置及び画像形成システム並びに画像形成制御方法を実施するための形態（実施形態）を詳細に説明する。
ここでは、画像形成装置と画像形成システムとの動作説明により、画像形成制御方法の処理手順についても説明する。
【００３１】
〔画像形成装置の構成〕
ここで、電子写真方式の画像形成装置１００の構成を図１に基づいて詳細に説明する。なお、画像形成装置１００として既知であって、本実施形態の特徴的な動作や制御に直接に関係しない一般的な部分、例えば電源部や通信Ｉ／Ｆなどの一般的な構成についての説明は省略してある。
【００３２】
図１において、プリントコントローラ１１０と画像形成装置１００とが接続されている。
なお、プリントコントローラ１１０と画像形成装置１００とは、完全に独立して存在する装置が接続された状態であっても良いし、機械的に接続可能に構成された状態であっても良い。
【００３３】
図１に示されるプリントコントローラ１１０は、外部のコンピュータ等から、ＰＤＬ（Page Description Language：ページ記述言語）で記述されたコードデータやベクトルデータで構成される印刷データをプリントジョブとして受け入れる。
【００３４】
このプリントコントローラ１１０は、コンピュータから送られてくるプリントジョブを、ＲＩＰ処理によりラスタライズ処理して、ビットマップ形式等の画像データに展開する。
【００３５】
図１に示される画像形成装置１００は、全体制御部１０１、操作表示部１０５、プリントコントローラ１１０、スキャナ部１２０、入力画像処理部１３０、画像記憶部１４０、出力画像処理部１５０、給紙部１６０、画像形成部１７０、を備えて構成されている。
【００３６】
ここで、全体制御部１０１は、後述する特徴的な制御を含め、画像形成装置１００の各部を制御する。
操作表示部１０５は、操作者による各種操作入力を受け付けると共に、各種表示を行う。スキャナ部１２０は、画像読取部として、原稿や調整チャートを読み取って画像データを生成する。なお、スキャナ部１２０は、原稿を読み取って、原稿画像データを生成する。また、スキャナ部１２０は、調整チャートを読み取って、調整用画像データを生成する。
【００３７】
入力画像処理部１３０は、入力される画像データに対して入力画像処理を施す。画像記憶部１４０は、画像データや各種データを記憶すると共に、画像形成のタイミングに合わせて画像データを読み出す。
【００３８】
出力画像処理部１５０は、画像記憶部１４０で読み出された画像データに対して出力画像処理を施す。給紙部１６０は、画像形成のタイミングに合わせて記録紙を画像形成部１７０に供給する。画像形成部１７０は、画像データに基づいて記録紙上に画像を形成する。
【００３９】
ここで、全体制御部１０１は、図示しないＣＰＵ（Central Processing Unit）、ＲＯＭ（Read Only Memory）、ＲＡＭ（Random Access Memory）等を備える。ここで、ＣＰＵは、ＲＡＭの所定領域をワークエリアとし、ＲＯＭに記憶されている各種プログラムを実行して、画像形成装置１００の各部を統括的に制御する。
【００４０】
操作表示部１０５は、キーボード、マウス、タッチパネル等の入力デバイスを備え、入力される各種指示を操作信号として全体制御部１０１に送信する。また、操作表示部１０５は、ＬＣＤ（Liquid Crystal Display）やＣＲＴ（Cathode Ray Tube）等の表示手段を備え、全体制御部１０１から入力される各種画像データを表示する。なお、この操作表示部は操作部と表示部が別であってもよいが、表示されたアイコンあるいはキーを押下するタッチパネルであってもよい。
【００４１】
スキャナ部１２０は、画像形成装置１００と一体であっても良いが、画像形成装置と別な装置として独立して存在していても良い。なお、スキャナ部１２０が画像形成装置１００と独立して存在する場合において、画像形成装置１００とスキャナ部１２０とは、信号ケーブルで接続されても良いし、ネットワークを介して接続されても良い。
【００４２】
入力画像処理部１３０は、プリントコントローラ１０から入力される画像データに対して、各種の入力画像処理を施す。なお、入力画像処理部１３０は、図示されないスキャナが接続された場合には、スキャナ経由で得られた入力画像データに対しても、必要に応じて入力画像処理を施す。
【００４３】
画像記憶部１４０は、記憶に関する各種制御を実行するメモリコントローラ１４１、プリントコントローラ１０から入力される画像データを蓄積して不揮発性記憶するＨＤＤ(Hard Disc Drive)１４２、画像形成出力する画像データを展開された状態で一時的に記憶するDRAM(Dynamic Random Access Memory)などで構成された画像メモリ１４３、を備えて構成される。
【００４４】
また、ＨＤＤ１４２には、測定用背景シートの画像データと調整チャートの画像データが予め格納されている。
出力画像処理部１５０は、画像記憶部１４０で記憶された画像データに対して、画像形成に必要なプリンタガンマ変換、誤差拡散処理、微小変倍処理などの出力画像処理を施す。
【００４５】
給紙部１６０は、定型サイズの用紙は給紙トレイ収容されており、ロール紙等の長尺用紙は長尺用紙収容部に収容されており、画像形成すべき記録紙を画像形成のタイミングに合わせて画像形成部１７０に供給する。
【００４６】
画像形成部１７０は、電子写真方式や各種方式の画像形成部や印刷装置であり、複写機やプリンタやファクシミリ装置などにおいて所定の記録紙上に画像を形成して出力する。ここで、画像形成部１７０は、画像形成に関する各種制御を実行するエンジン制御部１７１、出力画像処理部１５０から送られてきた画像データに基づいて画像形成を実行するプリントエンジン１７２、を有して構成される。
【００４７】
なお、プリントコントローラ１１０やスキャナ部１２０については、画像形成装置１００とは別に外部に設けることも可能である。また、操作表示部１０５についても、画像形成装置１００と離れた位置に設けることも可能である。
【００４８】
〔画像形成システムの構成〕
図２は画像形成装置１００を含む画像形成システム１の概略構成を示す構成図である。ここでは、画像形成装置１００に対して、給紙装置５０、後処理装置３００、排出装置４００が接続された様子を示している。なお、この接続は一例であって、画像形成装置１００に接続する装置を任意に増減して画像形成システム１を構成することが可能である。
【００４９】
また、図２のシステム構成とは別に、画像形成装置１００に対して、独立した画像読取装置や、独立した操作表示部装置を接続して、全体として画像形成システム１を構成することも可能である。
【００５０】
〔チャートの説明〕
以下、画像形成装置１００の各種調整を実行する際に使用されるチャートとして、調整チャートと測定用背景シートとについて説明する。
【００５１】
〔調整チャートの説明〕
ここでは、調整チャートとして、画像形成装置１００において両面画像形成をする際の、両面の画像位置合わせのためのチャートを具体例にしている。図３と図４とは、調整チャートの一例を示している。
【００５２】
ここで、画像形成装置１００において画像形成可能な最大用紙サイズと、スキャナ部１２０において読み取り可能な最大用紙サイズとに合わせて、以下に説明するチャートのサイズを決定する。例えば、画像形成装置１００において画像形成可能な最大用紙サイズとスキャナ部１２０において読み取り可能な最大用紙サイズとがＡ４サイズであれば、以下に説明するチャートをＡ４サイズとする。また、画像形成装置１００において画像形成可能な最大用紙サイズとスキャナ部１２０において読み取り可能な最大用紙サイズとが１１×１７サイズであれば、以下に説明するチャートを１１×１７サイズとする。また、画像形成装置１００において画像形成可能な最大用紙サイズとスキャナ部１２０において読み取り可能な最大用紙サイズとがＡ４サイズであれば、以下に説明するチャートをＡ４サイズとする。
【００５３】
ここで、調整チャートの各端部（各辺）の中心付近位置４箇所を、測定すべき箇所として、測定ポイントPointMeasureと定める（図３及び図４の円で囲まれたPointMeasure）。
以下、調整用チャートの詳細を説明する。まず、調整チャートの各端部から内側に所定距離（例えば1cm等）の位置に線LineInを描画する。また、調整チャートの長手方向であって、両方の長辺の中心の位置に、長手方向中心線LineCenterLongを描画する。また、調整チャートの短手方向であって、両方の短辺の中心の位置に、短手方向中心線LineCenterShortを描画する。
【００５４】
このように描写した場合の、線LineInと長手方向中心線LineCenterLongの交点２箇所、線LineInと短手方向中心線LineCenterShortの交点２箇所、の合計４箇所を、測定ポイントPointMeasureと定める（図３及び図４のPointMeasure）。
【００５５】
なお、図３及び図４において測定ポイントPointMeasureを囲む円は、説明のために示したものであって、調整チャートとしては必要ない。
このように描写して作成した測定ポイントPointMeasureは、用紙の端部を基準に設けたものであるため、各種の誤差が存在しない場合には用紙の両面で同じ位置に形成されるものである。
【００５６】
ここで、図３と図４のように調整チャートを縦長にした場合に、短手方向中心線LineCenterShortより上側の領域を、便宜上、「Ａ領域」と呼ぶ。同様に、図３と図４のように調整チャートを縦長にした場合に、短手方向中心線LineCenterShortより下側の領域を、便宜上、「Ｂ領域」と呼ぶ。また、図３の状態での裏面を第１面、表面を第２面とする。すなわち、図４の状態での表面を第１面、裏面を第２面とする。
【００５７】
これにより、図３の裏面のＡ領域、及び、図４の表面のＡ領域を、第１面のＡ領域として「１−Ａ領域」と呼ぶ。また、図３の裏面のＢ領域、及び、図４の表面のＢ領域を、第１面のＢ領域として「１−Ｂ領域」と呼ぶ。また、図３の表面のＡ領域、及び、図４の裏面のＡ領域を、第２面のＡ領域として「２−Ａ領域」と呼ぶ。また、図３の表面のＢ領域、及び、図４の裏面のＢ領域を、第２面のＢ領域として「２−Ｂ領域」と呼ぶ。
【００５８】
図３において、調整チャートの１−Ａ領域の測定ポイントPointMeasureをスキャナ部１２０で読み取る際の様子を図５に示す。この図５に示すように、調整チャートの読み取り領域の反対面かつ反対領域である２−Ｂ領域がオペレータＯＰの目に触れやすい状態になる。
【００５９】
なお、図５はスキャナ部１２０の原稿載置部を、調整チャートと共に模式的に示す説明図である。この図５においてＧは透明ガラスで構成されたプラテンガラスであり、このプラテンガラスＧの紙面の奥にラインセンサ等が配置されている。また、プラテンガラスＧの周囲には、原稿サイズや原稿載置位置を示すスケールScaleが配置されている。そして、プラテンガラスＧとスケールScaleとは、スキャナ部１２０の筐体であるBaseに保持されている。また、この図５の下方側がオペレータＯＰの立ち位置に近い位置に相当する。
【００６０】
ここでは、Ｙ方向の画像形成装置１００を向いたオペレータＯＰの左右方向をＸ方向として、プラテンガラスＧはＸ方向を長手方向とする。また、Ｘ方向に直交する方向をＹ方向とする。そして、Ｘ方向を長手方向とするプラテンガラスＧに、Ｙ方向を長手方向とする調整チャートの少なくとも半分の領域を順次読み取るようにしている。なお、Ｘ方向とＹ方向とは説明のために便宜上定めた方向である。
【００６１】
そこで、図３において、調整チャートの１−Ａ領域を正しく読み取ることが可能なように、目印として、補助線LineIndicateを、短手方向中心線LineCenterShortから２−Ｂ領域側に所定距離だけ離して平行になるように描画する。この補助線LineIndicateをオペレータが参照して、調整チャートの１−Ａ領域を傾き無く読み取れるようにスキャナ部１２０に載置することが可能になる。なお、詳細は後述する。
【００６２】
また、調整チャートの１−Ａ領域を読み取ることが明確になるように、２−Ｂ領域内において、補助線LineIndicateよりも更に短手方向中心線から離れた位置であって補助線LineIndicateに沿った位置に、チャート読み取り位置指示マークMarkIndicateを描画する。図３の２−Ｂ領域では、では三角形の塗りつぶしマークを具体例にしている。
【００６３】
更に、調整チャートの１−Ａ領域の読み取り順序が明確になるように、２−Ｂ領域内において、チャート読み取り位置指示マークMarkIndicate近傍の、更に短手方向中心線から離れる位置に、チャート読み取り順序表示DispIndicateを描画する。図３では２−Ｂ領域の三角形の塗りつぶしマークのチャート読み取り位置指示マークMarkIndicateの近傍に「1st」と描画されている。なお、チャート読み取り順序表示DispIndicate「1st」は、調整チャートの１−Ａ領域の読み取り順序が１番目であることを示している。同様に、調整チャートの１−Ａ領域の読み取り順序が明確になるように、２−Ｂ領域内において、補助線LineIndicateよりも更に短手方向中心線から離れた位置であって、補助線LineIndicateと長手方向中心線と挟まれた位置に、チャート読み取り順序表示OrderIndicateを描画する。図３の２−Ｂ領域の例では、チャート読み取り順序表示OrderIndicateとして、１個を１群とする四角形の塗りつぶしマークを２箇所に描画している。なお、チャート読み取り順序表示OrderIndicateとして、「１個」の四角形の塗りつぶしマークは、上述したチャート読み取り順序表示DispIndicate「1st」と同様に、調整チャートの１−Ａ領域の読み取り順序が１番目であることを示している。
【００６４】
図３において、以上の説明と同様に、調整チャートの１−Ｂ領域の測定ポイントPointMeasureをスキャナ部１２０で読み取る際には、調整チャートの反対面かつ反対領域である２−Ａ領域がオペレータの目に触れやすい状態になる。
【００６５】
そこで、調整チャートの１−Ｂ領域を正しく読み取ることが可能なように、目印として、補助線LineIndicateを、短手方向中心線LineCenterShortから２−Ａ領域側に所定距離だけ離して平行になるように描画する。この補助線LineIndicateをオペレータが参照して、調整チャートの１−Ｂ領域を傾き無く読み取れるようにスキャナ部１２０に載置することが可能になる。なお、詳細は後述する。
【００６６】
また、調整チャートの１−Ｂ領域を読み取ることが明確になるように、２−Ａ領域内において、補助線LineIndicateよりも更に短手方向中心線から離れた位置であって補助線LineIndicateに沿った位置に、チャート読み取り位置指示マークMarkIndicateを描画する。図３の２−Ａ領域では三角形の塗りつぶしマークを具体例にしている。
【００６７】
更に、調整チャートの１−Ｂ領域の読み取り順序が明確になるように、２−Ａ領域内において、チャート読み取り位置指示マークMarkIndicate近傍の、更に短手方向中心線から離れる位置に、チャート読み取り順序表示DispIndicateを描画する。図３では２−Ａ領域の三角形の塗りつぶしマークのチャート読み取り位置指示マークMarkIndicateの近傍に「2nd」と描画されている。なお、チャート読み取り順序表示DispIndicate「2nd」は、調整チャートの１−Ｂ領域の読み取り順序が２番目であることを示している。同様に、調整チャートの１−Ｂ領域の読み取り順序が明確になるように、２−Ａ領域内において、補助線LineIndicateよりも更に短手方向中心線から離れた位置であって、補助線LineIndicateと長手方向中心線と挟まれた位置に、チャート読み取り順序表示OrderIndicateを描画する。図３の２−Ａ領域の例では、チャート読み取り順序表示OrderIndicateとして、２個を１群とする四角形の塗りつぶしマークを２箇所に描画している。なお、チャート読み取り順序表示OrderIndicateとして、「２個」の四角形の塗りつぶしマークは、上述したチャート読み取り順序表示DispIndicate「2nd」と同様に、調整チャートの１−Ｂ領域の読み取り順序が２番目であることを示している。
【００６８】
図４において、調整チャートの２−Ａ領域の測定ポイントPointMeasureをスキャナ部１２０で読み取る際には、反対面かつ反対領域である１−Ｂ領域がオペレータの目に触れやすい状態になる。
【００６９】
そこで、調整チャートの２−Ａ領域を正しく読み取ることが可能なように、目印として、補助線LineIndicateを、短手方向中心線LineCenterShortから１−Ｂ領域側に所定距離だけ離して平行になるように描画する。この補助線LineIndicateをオペレータが参照して、調整チャートの２−Ａ領域を傾き無く読み取れるようにスキャナ部１２０に載置することが可能になる。なお、詳細は後述する。
【００７０】
また、調整チャートの２−Ａ領域を読み取ることが明確になるように、１−Ｂ領域内において、補助線LineIndicateよりも更に短手方向中心線から離れた位置であって補助線LineIndicateに沿った位置に、チャート読み取り位置指示マークMarkIndicateを描画する。図４の１−Ｂ領域では、では三角形の塗りつぶしマークを具体例にしている。
【００７１】
更に、調整チャートの２−Ａ領域の読み取り順序が明確になるように、１−Ｂ領域内において、チャート読み取り位置指示マークMarkIndicate近傍の、更に短手方向中心線から離れる位置に、チャート読み取り順序表示DispIndicateを描画する。図４では１−Ｂ領域の三角形の塗りつぶしマークのチャート読み取り位置指示マークMarkIndicateの近傍に「3rd」と描画されている。なお、チャート読み取り順序表示DispIndicate「3rd」は、調整チャートの２−Ａ領域の読み取り順序が３番目であることを示している。同様に、調整チャートの２−Ａ領域の読み取り順序が明確になるように、１−Ｂ領域内において、補助線LineIndicateよりも更に短手方向中心線から離れた位置であって、補助線LineIndicateと長手方向中心線と挟まれた位置に、チャート読み取り順序表示OrderIndicateを描画する。図４の１−Ｂ領域の例では、チャート読み取り順序表示OrderIndicateとして、３個を１群とする四角形の塗りつぶしマークを２箇所に描画している。なお、チャート読み取り順序表示OrderIndicateとして、「３個」の四角形の塗りつぶしマークは、上述したチャート読み取り順序表示DispIndicate「3rd」と同様に、調整チャートの２−Ａ領域の読み取り順序が３番目であることを示している。
【００７２】
図４において、以上の説明と同様に、調整チャートの２−Ｂ領域の測定ポイントPointMeasureをスキャナ部１２０で読み取る際には、反対面及び反対領域である１−Ａ領域がオペレータの目に触れやすい状態になる。
【００７３】
そこで、調整チャートの２−Ｂ領域を正しく読み取ることが可能なように、目印として、補助線LineIndicateを、短手方向中心線LineCenterShortから１−Ａ領域側に所定距離だけ離して平行になるように描画する。この補助線LineIndicateをオペレータが参照して、調整チャートの２−Ｂ領域を傾き無く読み取れるようにスキャナ部１２０に載置することが可能になる。なお、詳細は後述する。
【００７４】
また、調整チャートの２−Ｂ領域を読み取ることが明確になるように、１−Ａ領域内において、補助線LineIndicateよりも更に短手方向中心線から離れた位置であって補助線LineIndicateに沿った位置に、チャート読み取り位置指示マークMarkIndicateを描画する。図４の１−Ａ領域では三角形の塗りつぶしマークを具体例にしている。
【００７５】
更に、調整チャートの２−Ｂ領域の読み取り順序が明確になるように、１−Ａ領域内において、チャート読み取り位置指示マークMarkIndicate近傍の、更に短手方向中心線から離れる位置に、チャート読み取り順序表示DispIndicateを描画する。図４では１−Ａ領域の三角形の塗りつぶしマークのチャート読み取り位置指示マークMarkIndicateの近傍に「4th」と描画されている。なお、チャート読み取り順序表示DispIndicate「4th」は、調整チャートの２−Ｂ領域の読み取り順序が４番目であることを示している。
【００７６】
同様に、調整チャートの２−Ｂ領域の読み取り順序が明確になるように、１−Ａ領域内において、補助線LineIndicateよりも更に短手方向中心線から離れた位置であって、補助線LineIndicateと長手方向中心線と挟まれた位置に、チャート読み取り順序表示OrderIndicateを描画する。図４の例では、チャート読み取り順序表示OrderIndicateとして、４個を１群とする四角形の塗りつぶしマークを２箇所に描画している。なお、チャート読み取り順序表示OrderIndicateとして、「４個」の四角形の塗りつぶしマークは、上述したチャート読み取り順序表示DispIndicate「4th」と同様に、調整チャートの２−Ｂ領域の読み取り順序が４番目であることを示している。
【００７７】
〔調整チャートの載置についての説明〕
図５のようにスキャナ部１２０のプラテンガラスＧの上に調整チャートの１−Ａ領域を読み取るように載置した状態における、各部の寸法例を図６に示す。なお、この図６では、図５と同様にＸ方向とＹ方向とを便宜上定める。
【００７８】
ここで、プラテンガラスＧの長手方向（図６ではＸ方向）の長さはＸＧと短手方向（図６ではＹ方向）の長さはＹＧとは、Ａ３サイズ（297×420mm）や１１×１７サイズ（279.4×431.8mm）の用紙をカバーするように決定される。例えば、ＸＧは431.8mm、ＹＧ297mmに設定される。
【００７９】
また、調整チャートが１１×１７サイズの用紙である場合、PShortは279.4mm、PLongは431.8mmである。
また、スキャナ部１２０のプラテンガラスＧがＸ方向を長手方向とする場合に、図５及び図６に示すように、調整チャートはＹ方向を長手方向に配置する。
【００８０】
これにより、調整チャートの片面の半分の領域ずつ、すなわち、１−Ａ領域、１−Ｂ領域、２−Ａ領域、２−Ｂ領域の順に、スキャナ部１２０で読み取るようにする。この結果、４つの領域の測定ポイントMeasureをスキャナ部１２０側の同じ位置で読み取れるため、読み取り誤差の影響を受けにくくすることができる。
【００８１】
ここで、調整チャートの１−Ａ領域を正しく読み取ることが可能なように、目印として、補助線LineIndicateを、短手方向中心線LineCenterShortから２−Ｂ領域側に所定距離Yg2だけ離して平行になるように描画している。調整チャートが１１×１７サイズの用紙である場合、この所定距離Yg2を22mm〜42mm程度とすることで、補助線LineIndicateとプラテンガラスＧの端部を揃えて、調整チャートを傾き無く載置することが可能になる。
【００８２】
〔測定用背景シートの説明〕
上述した調整チャートにおいて、測定ポイントMeasureについては用紙端部を測定の基準とする必要がある。
【００８３】
そこで、プラテンガラスＧの上に調整チャートを載置し、更にその上にベタ黒に塗られた測定用背景シートをプラテンガラスＧ側に向けて載置する必要がある。なお、調整チャートの端部をベタ黒で覆う必要があるため、長手方向をプラテンガラスＧと同じ向きにして、かつ、ベタ黒がプラテンガラスＧを向くように測定用背景シートを載置する。
【００８４】
図７は測定用背景シートＰＢＫのベタ黒面ＰＢＫ１（読み取り面）におけるベタ黒領域ＰＢＫ１ｂｋを示す。ここで、図５〜図６の調整チャートの端部を覆うことができれば良い。このため、測定用背景シートＰＢＫのベタ黒領域ＰＢＫ１ｂｋは、用紙端部を残していても良い。
【００８５】
図８は測定用背景シートＰＢＫの対人側面ＰＢＫ２において、長手方向の中心位置を示す長手方向中心位置マークPBK2MKを示している。この長手方向中心位置マークPBK2MKは、長手方向の長さPLongの１／２の位置かつ短手方向の端部に中心線PBK2CLが配置されている。また、中心線PBK2CLの長手方向の両側に隣接するように、目印ブロックマークPBK2mk1と目印ブロックマークPBK2mk2とが配置されている。
【００８６】
なお、図８の長手方向中心位置マークPBK2MKの具体例としては、図９に示すようにすることが可能である。長手方向中心位置マークPBK2MKとしては、用紙端部から5mmの位置に10mmの線を描画する。中心線PBK2CLの長手方向の両側5mmの間隔をあけて隣接するように、5mm×10mmの目印ブロックマークPBK2mk1と目印ブロックマークPBK2mk2とが配置されている。
【００８７】
〔調整チャートと測定用背景シートの載置についての説明〕
図１０は、調整チャートと測定用背景シートの載置の様子を示す説明図である。
まず、調整チャートを図５及び図６のようにプラテンガラスＧの上に載置する。なお、この図１０の下方側がオペレータＯＰの立ち位置に相当する。
【００８８】
そして、図１０のように、ベタ黒面ＰＢＫ１を調整チャートに向けた測定用背景シートをプラテンガラスＧの上に載置する。この際、プラテンガラスＧの端部に設けられた基準位置Pstd（図１０参照）に測定用背景シートの端部を一致させる。また、測定用背景シートの長手方向中心位置マークPBK2MKを、調整チャートのプラテンガラスＧからはみ出した領域に向けるようにする。
【００８９】
この状態で測定用背景シートの長手方向中心位置マークPBK2MKに含まれる中心線PBK2CLと、調整チャートの長手方向中心線LineCenterLongとを一致させる。
このようにすることで、プラテンガラスＧ上での調整チャートの位置が固定されると共に、調整チャートの１−Ａ，１−Ｂ，２−Ａ，２−Ｂの各領域の測定ポイントMeasureが毎回同じ位置で読み取られる。この結果、両面画像形成による位置ずれを確実に測定することが可能になる。
【００９０】
なお、以上の調整チャートと測定用背景シートの説明は具体的な一例であって、ここに示した具体例に限定されるものではない。
〔動作（１）〕
以下、画像形成装置１００や画像形成システム１の動作を、図１１のフローチャートを参照して説明する。なお、この動作説明が、画像形成制御方法の処理手順でもある。
【００９１】
操作表示部１０５に表示されている基本の操作画面において、オペレータが表裏調整タブ１０５Ｇ１ａをクリックすることにより、全体制御部１０１は本実施形態の表裏調整処理を開始する（図１１中のスタート）。
【００９２】
全体制御部１０１は、操作表示部１０５に表裏調整基本表示画面１０５Ｇ１（図１２）を表示する。この表裏調整基本表示画面１０５Ｇ１では、スキャン測定による表裏調整の作業を選択するタブとして、測定用背景シート出力のタブ（図１２中の１０５Ｇ１ｂ）、調整チャート出力のタブ（図１２中の１０５Ｇ１ｃ）、調整チャートスキャンのタブ（図１２中の１０５Ｇ１ｄ）、が表示されている。なお、測定用背景シート出力や調整チャート出力の出力が完了していない時点では、測定用背景シート出力と調整チャート出力のタブがクリック可能なアクティブ状態で、調整チャートスキャンのタブがクリック不可能な非アクティブ状態で表示されている。
【００９３】
上述したように測定用背景シートはベタ黒面を有する再利用可能なシートであるため、オペレータは必要に応じて測定用背景シート出力のタブ１０５Ｇ１ｂをクリックして、測定用背景シートを出力する（図１１中のステップＳ１０１，Ｓ１０２）。この測定用背景シート出力のタブ１０５Ｇ１ｂがクリックされると、全体制御部１０１の制御により、ＨＤＤ１４２から必要が画像データが読み出され、図７−図９に説明した測定用背景シートが画像形成部１７０から画像形成出力される。
【００９４】
そして、オペレータは調整チャート出力のタブ１０５Ｇ１ｃをクリックして、調整チャートを出力する（図１１中のステップＳ１０３）。この調整チャート出力のタブ１０５Ｇ１ｃがクリックされると、全体制御部１０１の制御により、ＨＤＤ１４２から必要が画像データが読み出され、図３−図６に説明した調整チャートが画像形成部１７０から両面画像形成出力される。
【００９５】
なお、測定用背景シートの出力や調整チャートの出力の際に適切なサイズの用紙が存在しない場合には、全体制御部１０１は、図１３のような表示画面１０５Ｇ２において、用紙補給のメッセージを表示する。ここでは、「Ａ３または１１×１７サイズの用紙をセットして下さい」とのメッセージ１０５Ｇ２ａが表示された様子を示す。なお、適切なサイズとは、画像形成装置１００において、スキャンや画像形成が可能な最大のサイズを意味している。
【００９６】
調整チャートの出力が完了すると、全体制御部１０１は、調整チャートの読み取り回数に関する変数ｉの初期値を１と設定する（図１１中のステップＳ１０４）。また、１枚の調整用チャートを何回読み取るかによって、この変数ｉの最大値であるｉmaxについても定めておく。調整用チャートの両面を各面半分ずつ読み取るのであれば、ｉmax＝４となる。
【００９７】
そして、全体制御部１０１は、調整チャートと測定用背景シートのプラテンガラスＧ上でのｉ番目の置き方についてのイラスト画像データをＨＤＤ１４２から読み出し、ｉ番目の調整チャートと測定用背景シートのプラテンガラスＧ上での置き方のガイダンスとして、イラスト表示されたガイダンス画面１０５Ｇ３（図１４）を操作表示部１０５に表示する（図１１中のステップＳ１０５）。
【００９８】
図１４のガイダンス画面１０５Ｇ３では、イラスト１０５Ｇ３Ａ（向き表示イラスト１０５Ｇ３Ａａと、重ね状態イラスト１０５Ｇ３Ａｂ）と、スタートボタン１０５Ｇ３ｂと、を少なくとも含んでいる。
【００９９】
また、図１４のガイダンス画面１０５Ｇ３では、読み取りの進行状況を明らかにすべく、調整チャートを正常に読み取った回数や調整チャートを読み取るべき総回数についての回数表示１０５Ｇ３ｃを表示しても良い。
【０１００】
ここで、向き表示イラスト１０５Ｇ３Ａａは、表裏や向きを変えて複数回の読み取りを実行する調整チャートについて、読み取り面とは反対面について、オペレータ側から見た様子を示すイラストである。すなわち、オペレータからみて、この面の調整チャートを、この向きでプラテンガラスＧ上に載置すれば良いことが明確になる。
【０１０１】
また、重ね状態イラスト１０５Ｇ３Ａｂは、プラテンガラスＧの上で調整チャートを載置して更に測定用背景シートを重ねる様子の、読み取り面とは反対面について、オペレータ側から見た様子を示すイラストである。
【０１０２】
また、このイラスト１０５Ｇ３Ａ（向き表示イラスト１０５Ｇ３Ａａと、重ね状態イラスト１０５Ｇ３Ａｂ）については、調整チャートの読み取り面の反対面の一部分が強調されたイラスト、あるいは、調整チャートに測定用背景シートを重ねた様子の一部分が強調されたイラストとすることも望ましい。
【０１０３】
なお、強調とは、特定の部分が他よりも拡大された状態、特定の部分が他よりも濃淡や色彩が濃く表示された状態、特定の部分の文字や線が他よりも太く表示された状態、などを意味する。
【０１０４】
すなわち、以上のような調整チャートと測定用背景シートがイラストとして描写されたイラスト画像データ、または、以上のような調整チャートと測定用背景シートがイラストとして一部分が強調されて描写されているイラスト画像データを、ＨＤＤ１４２等に記憶しておく。
【０１０５】
なお、イラスト中で強調する部分としては、調整チャートにおけるチャート読み取り位置指示マークMarkIndicate付近、チャート読み取り順序表示DispIndicate付近、チャート読み取り順序表示OrderIndicate付近、または、測定用背景シートの中心線PBK2CLと調整チャートの長手方向中心線LineCenterLongとを一致させる箇所付近、などの面や向きや順序を示す各種マークを含む領域が望ましい。
【０１０６】
図１５は第１回目（ｉ＝１）の読み取りの際の調整チャートや測定用背景シートの状態を示すイラスト１０５Ｇ３Ａ１を示す。図１６は第２回目（ｉ＝２）の読み取りの際の調整チャートや測定用背景シートの状態を示すイラスト１０５Ｇ３Ａ２を示す。図１７は第３回目（ｉ＝３）の読み取りの際の調整チャートや測定用背景シートの状態を示すイラスト１０５Ｇ３Ａ３を示す。図１８は第４回目（ｉ＝４）の読み取りの際の調整チャートや測定用背景シートの状態を示すイラスト１０５Ｇ３Ａ４を示す。
【０１０７】
なお、ここでは、向き表示イラスト１０５Ｇ３Ａａと重ね状態イラスト１０５Ｇ３Ａｂとについて、オペレータ側から見た様子を示すイラストであるが、これに限定されない。例えば、オペレータから見えなくなる読み取り面をイラスト表示して、「この面を下に向ける」との説明を加えたものでも良い。
【０１０８】
以上のようなイラスト表示されたガイダンス画面１０５Ｇ３（図１４）の操作表示部１０５における表示（図１１中のステップＳ１０５）を参照し、オペレータは、図５のようにプラテンガラスＧ上に調整チャートを載置し（図１１中のステップＳ１０６）、さらに図１０のように調整チャート上に測定用背景シートを重ねて位置合わせしつつ載置する（図１１中のステップＳ１０７）。
【０１０９】
以上のようなオペレータ目線のイラストにより、オペレータはイラストに従って調整チャートを正しく載置することができる。また、オペレータはイラストに従って、調整チャートと測定用背景シートとを正しく位置合わせした状態で重ねて載置することができる。
【０１１０】
また、以上のようなオペレータ目線であって、一部強調されたイラストにより、オペレータはイラストに従って調整チャートを正しく載置することができる。また、一部強調されたイラストにより、オペレータはイラストに従って、調整チャートと測定用背景シートとを正しく位置合わせした状態で重ねて載置することができる。また、調整チャートや測定用背景シートの面や向きや順序を示す各種マークを含む領域を拡大することで、見間違いや見逃しといったオペレータのミスを防止することも可能になる。
【０１１１】
以上のようなイラスト表示されたガイダンス画面１０５Ｇ３（図１４）に従ってオペレータが調整チャートと測定用背景シートとをプラテンガラスＧ上に載置した後、オペレータはスタートボタン１０５Ｇ３ｂを押下する（図１１中のステップＳ１０８）。
【０１１２】
全体制御部１０１は、スタートボタン１０５Ｇ３ｂの押下操作を受けて、スキャナ部１２０が調整チャートを読み取るよう制御する（図１１中のステップＳ１０９）。全体制御部１０１の制御を受けたスキャナ部１２０は、プラテンガラスＧ上の調整チャートを読み取り、調整用画像データを生成する。
【０１１３】
全体制御部１０１は、調整用画像データを解析して、プラテンガラスＧ上での調整用チャートの傾き、チャート読み取り順序表示OrderIndicateのマーク数、測定ポイントPointMeasure（線LineInと長手方向中心線LineCenterLongの交点１箇所、線LineInと短手方向中心線LineCenterShortの交点２箇所）の用紙端部からの距離、を求める（１１図中のステップＳ１１０）。
【０１１４】
ここで、全体制御部１０１は、プラテンガラスＧ上で調整用チャートの傾きが存在していれば、エラーと判定する（図１１中のステップＳ１１１）。また、全体制御部１０１は、チャート読み取り順序表示OrderIndicateのマーク数が、あらかじめ定められた個数と異なる場合はエラーと判定する（図１１中のステップＳ１１１）。たとえば、調整用チャートの第１回目の読み取りの際には、反対面用のチャート読み取り順序表示OrderIndicateが存在しているため、マーク数として１群あたり３個又は４個が、あらかじめ定められた個数である。
【０１１５】
調整用チャートの読み取りでエラーが発生しておらず（図１１中のステップＳ１１１でＮＯ）、調整チャート読み取り回数の変数ｉが最大値ｉmaxに達するまで（図１１中のステップＳ１１２でＹＥＳ）、調整チャート読み取り回数の変数ｉを１ずつインクリメントする（図１１中のステップＳ１１３）。
【０１１６】
そして、全体制御部１０１は、ｉ番目のイラスト表示されたガイダンス画面１０５Ｇ３（図１４）の表示（図１１中のステップＳ１０５）、ｉ番目の調整用チャートの読み取りによる調整用画像データの生成（１１図中のステップＳ１０９）、ｉ番目の調整用画像データの解析とエラー判定（図１１中のステップＳ１１０，Ｓ１１１）等を繰り返すよう制御する。
【０１１７】
ここで、調整用チャートの読み取りでエラーが発生していれば（図１１中のステップＳ１１１でＮＯ）、全体制御部１０１は、測定ポイントPointMeasureの解析を中断し、エラー判定の原因となった調整用画像データの解析結果とそのエラー解消対策とに対応したイラスト画像データをＨＤＤ１４２等から読み出して、イラストを操作表示部１０５に表示する（図１１中のステップＳ１１４）。
【０１１８】
ここで、エラー判定の原因となった調整用画像データの解析結果としては、プラテンガラスＧ上の調整チャートの傾き、調整チャートの上下左右の位置ずれ、調整チャートの異常（プリント不良など）、調整チャートの読み取り順序間違い、などが該当する。
【０１１９】
また、エラー判定の原因となった調整用画像データのエラー解消対策としては、プラテンガラスＧ上の調整チャートの正常角度での載置、調整チャートの正常位置での載置、正常な調整チャートの再プリント、正しい読み取り順序の調整チャートの載置、などが該当する。
【０１２０】
図１９のガイダンス画面１０５Ｇ３’では、エラー判定の原因となった調整用画像データの解析結果とそのエラー解消対策とに対応したエラー解消イラスト１０５Ｇ３Ａ’が表示された具体例を示している。ここでは、調整チャートが右回転している状態を示しており、さらにその解消対策として左方向に回転させる矢印が表示されている。また、図１９のエラー解消ガイダンス画面１０５Ｇ３’では、エラー解消メッセージ１０５Ｇ３ｍとして「＜エラー＞調整チャートの置き方が違います。画面に従い置き直してください。［ＯＫ］を押すと処理を再開します」と表示されている。
【０１２１】
この図１９のエラー解消イラスト１０５Ｇ３Ａ’の場合は、調整チャートの面や領域は合致しているものの、調整チャートがオペレータ目線で右回転方向に傾いているというエラーである。そして、その傾きをオペレータ目線で左回転方向に回転させることによりエラーを解消するためのイラストである。このため、向き表示イラスト１０５Ｇ３Ａａは存在せず、重ね状態イラスト１０５Ｇ３Ａｂ相当のイラストになっている。
【０１２２】
なお、このエラー解消イラスト１０５Ｇ３Ａ’では、測定用背景シートで覆い隠されて見えないはずの調整チャートの各種補助線や各種中心線等も薄色で表示された状態になっていて、エラーの原因や解消手法が明確になっている。
【０１２３】
そして、オペレータがイラストに従って調整チャートを載置し直し、ＯＫボタンを押下すると（図１１中のステップＳ１１５でＹＥＳ）、ｉ番目の調整チャートと測定用背景シートのプラテンガラスＧ上での置き方のイラストによるガイダンス画面１０５Ｇ３の表示（図１１中のステップＳ１０５）以降を繰り返す。
【０１２４】
図２０のエラー解消イラスト１０５Ｇ３Ａ’の場合は、調整チャートの面や領域は合致しているものの、調整チャートがオペレータ目線で左回転方向に傾いているというエラーである。そして、その傾きをオペレータ目線で右回転方向により解消するためのイラストである。このため、向き表示イラスト１０５Ｇ３Ａａは存在せず、重ね状態イラスト１０５Ｇ３Ａｂ相当のイラストになっている。
【０１２５】
図２１のエラー解消イラスト１０５Ｇ３Ａ’の場合は、調整チャートの面や領域は合致しているものの、調整チャートがオペレータ目線で右方向に片寄っているというエラーである。そして、その片寄りをオペレータ目線で左方向移動により解消するためのイラストである。このため、向き表示イラスト１０５Ｇ３Ａａは存在せず、重ね状態イラスト１０５Ｇ３Ａｂ相当のイラストになっている。
【０１２６】
図２２のエラー解消イラスト１０５Ｇ３Ａ’の場合は、調整チャートの面や領域は合致しているものの、調整チャートがオペレータ目線で左方向に片寄っているというエラーである。そして、その片寄りをオペレータ目線で右方向移動により解消するためのイラストである。このため、向き表示イラスト１０５Ｇ３Ａａは存在せず、重ね状態イラスト１０５Ｇ３Ａｂ相当のイラストになっている。
【０１２７】
図２３のエラー解消イラスト１０５Ｇ３Ａ’の場合は、調整チャートの面や領域は合致しているものの、調整チャートがオペレータ目線で奥方向（イラストでは上方）に片寄っているというエラーである。そして、その片寄りをオペレータ目線で手前方向（イラストでは下方）移動により解消するためのイラストである。このため、向き表示イラスト１０５Ｇ３Ａａは存在せず、重ね状態イラスト１０５Ｇ３Ａｂ相当のイラストになっている。
【０１２８】
図２４のエラー解消イラスト１０５Ｇ３Ａ’の場合は、調整チャートの面や領域は合致しているものの、調整チャートがオペレータ目線で手前方向（イラストでは下方）に片寄っているというエラーである。そして、その片寄りをオペレータ目線で奥方向（イラストでは上方）移動により解消するためのイラストである。このため、向き表示イラスト１０５Ｇ３Ａａは存在せず、重ね状態イラスト１０５Ｇ３Ａｂ相当のイラストになっている。
【０１２９】
図２５のガイダンス画面１０５Ｇ３’では、調整チャートエッジ検出不可や線検出不可といったエラーが発生した場合であり、調整チャート又は測定用背景シートが正しいものではない可能性がある。そこで、この図２５のガイダンス画面１０５Ｇ３’では、正しい調整チャートと正しい測定用背景シートを使用した状態のエラー解消イラスト１０５Ｇ３Ａ’と、「＜エラー＞検出できません。正しい調整チャートと正しい測定用背景シートを使用してください。［ＯＫ］を押すと処理を再開します」といったエラー解消メッセージ１０５Ｇ３ｍとが表示されている。
【０１３０】
図２６のエラー解消イラスト１０５Ｇ３Ａ’の場合は、チャート読み取り順序表示OrderIndicateのマーク個数からチャート読み取り順序が異なっていると判断された場合、すなわち、調整チャートの面又は領域が合致していないというエラーである。そして、そのチャート読み取り順序の間違いを解消するため、向き表示イラスト１０５Ｇ３Ａａと重ね状態イラスト１０５Ｇ３Ａｂ相当の両方を含むイラストになっている。
【０１３１】
なお、このエラー解消イラスト中で強調する部分としては、調整チャートにおけるチャート読み取り位置指示マークMarkIndicate、チャート読み取り順序表示DispIndicate、チャート読み取り順序表示OrderIndicateなど、調整チャートの面や向きや順序を示す各種マーク領域である。
【０１３２】
そして、調整チャート読み取り回数の変数ｉが最大値ｉmaxに達すると（図１１中のステップＳ１１２でＮＯ）、すなわち、調整チャートの両面の各領域の読み取りを完了すると、全体制御部１０１は、図２７に示す調整確認画面１０５Ｇ５を操作表示部１０５に表示する（図１１中のステップＳ１１６）。
【０１３３】
この調整確認とは、以上のように一連の読み取りで調整チャートの両面の各領域から得られた調整用画像データの現時点での解析結果から表裏調整（表裏画像位置ずれ調整）を実行するか、あるいは、以上のｉmaxの調整チャートの読み取りを更に繰り返して実行して得た解析結果の平均値から表裏調整（表裏画像位置ずれ調整）を実行するか、についてオペレータの意志を確認することである。
【０１３４】
この調整確認画面１０５Ｇ５では、調整値を算出するかを尋ねる調整確認ウインドウ１０５Ｇ５ａが表示されている。
この調整確認ウインドウ１０５Ｇ５ａに従ったオペレータが「いいえ」をクリックすると（図１１中のステップＳ１１７でＮＯ）、全体制御部１０１は、調整チャートの読み取り回数に関する変数ｉを初期値１に戻し（図１１中のステップＳ１０４）、上述したようにｉがｉmaxに達するまでガイダンス表示〜調整チャートの読み取り〜調整用画像データの解析を繰り返す（図１１中のステップＳ１０５〜）。
【０１３５】
この調整確認ウインドウ１０５Ｇ５ａに従ったオペレータが「はい」をクリックすると（図１１中のステップＳ１１７でＹＥＳ）、全体制御部１０１は、以上のようにして調整チャートの両面の各領域から得られた調整用画像データの解析結果（各読み取りで得られた測定ポイントPointMeasureの測定値の表裏間の誤差）から調整値を算出し、この調整値に基づいて表裏調整（表裏画像位置ずれ調整）を実行する（図１１中のステップＳ１１８）。
【０１３６】
なお、ｉmaxまでの調整チャートの読み取りを複数回繰り返して実行した場合には、全体制御部１０１は、各読み取りで得られた測定ポイントPointMeasureの測定値を平均したうえで調整値を算出し、この調整値に基づいて表裏調整（表裏画像位置ずれ調整）を実行する（図１１中のステップＳ１１８）。この場合、複数回の読み取り結果を平均することで、読み取り時の誤差の影響を軽減することが可能になる。
【０１３７】
以上のようにして、全体制御部１０１は、本実施形態の表裏調整処理を終了する（図１１中のエンド）。
〔その他の実施形態〕
以上の説明では、画像形成装置１００の操作表示部１０５に、調整チャートの解析結果に応じたイラスト画像を表示するとしていたが、これに限定されるものではない。
【０１３８】
例えば、調整チャートの解析結果に応じたイラスト画像の画像データを選択し、該画像データから表示用画像データを生成し、画像形成装置１００の外部の表示装置に対して表示用画像データを送信するようにしても良い。
【０１３９】
また、画像形成装置１００の全体制御部１０１とは別の画像形成制御装置が上述した動作の制御を行うようにしても良い。この画像形成制御装置としては、専用の制御装置であっても良いし、画像形成制御プログラムが搭載されたコンピュータであっても良い。
【０１４０】
また、以上の説明では用紙両面の長手方向の両端の合計４カ所（ｉmax＝４）を表裏調整の測定ポイントの具体例にしていたが、これに限定されるものではない。例えば、用紙両面の長手方向の先端領域のみ又は後端領域のみの合計２カ所の表裏調整でも良い。
【０１４１】
また、調整チャートの読み取りに関しては両面に限定されるものではない。すなわち、調整チャートの片面の異なる領域を複数回に分けて読み取る場合、あるいは、調整チャートの片面のある一部の領域を１回だけ読み取る場合であっても、上述したイラストによるガイダンス表示を行うことが可能である。
【０１４２】
また、図３や図４に示した調整チャートの各種補助線や各種中心線等は一例であって、これに限定されるものではない。
また、図１４〜図２５に示した表示画面の画面構成やメッセージの内容も一例であって、この内容に限定されるものではない。
【０１４３】
また、図１９〜図２５に示したエラーの内容も一例であって、この内容に限定されるものではない。
また、画像形成装置１００とは独立した画像読取装置を接続した画像形成システム１である場合において、画像形成装置１００の最大画像形成可能サイズと、画像読取装置の最大読み取り可能サイズとが一致しない場合もあり得る。そのような場合には、いずれか小さいサイズに合わせるようにしても良い。
【０１４４】
〔実施形態により得られる効果〕
以下、本実施形態の画像形成装置、画像形成システム、画像形成制御方法により得られる効果を以下に説明する。
【０１４５】
（１）この実施形態では、画像形成した調整チャートを読み取って解析し、該解析結果に基づいて画像形成部を調整する際に、読み取った調整チャートの解析結果に対応するイラスト画像を選択し、当該イラスト画像を表示する。これにより、調整チャートを読み取って画像形成装置の各種調整を実行する場合に、調整チャートの読み取りを適切に実行することが可能になる。
【０１４６】
（２）以上の（１）において、調整チャートの複数の箇所を複数回に分けて読み取って一連の調整を実行する際に、調整用画像データの解析結果が正常であれば、次の読み取りに対応するイラスト画像データを選択して当該イラスト画像データを表示する。また、調整チャートの複数の箇所を複数回に分けて読み取って一連の調整を実行する際に、調整用画像データの解析結果がエラーであれば、次の再度同じ箇所の読み取りに対応するイラスト画像データを選択して当該イラスト画像データを表示する。これにより、調整チャートを読み取って画像形成装置の各種調整を実行する場合に、調整チャートの読み取り結果に応じて次の読み取りに対応するイラスト画像データや同じ読み取りに対応するイラスト画像データを表示することになり、調整チャートの読み取りを適切に実行することが可能になる。
【０１４７】
（３）以上の（１）〜（２）において、調整チャートの読み取り面の反対面、すなわち、調整チャートを読取部に載置した際に外側になる面のオペレータから見た状態をイラストとして表示することになる。この結果、オペレータはイラストに従って調整チャートの載置を適切に実行できる。これにより、正しく載置された調整チャートの読み取りを適切に実行することが可能になる。また、オペレータから見た状態をイラストとして表示することで、見間違いや見逃しといったオペレータのミスを防止することも可能になる。
【０１４８】
（４）以上の（１）〜（３）において、調整チャートの読み取り面の反対面の一部分が強調されたイラスト、すなわち、調整チャートを読取部に載置した際に外側になる面のオペレータから見た状態について一部強調状態をイラストとして表示することになる。この結果、オペレータはイラストに従って、調整チャートの載置を適切に実行できる。これにより、正しく載置された調整チャートの読み取りを適切に実行することが可能になる。また、オペレータから見た状態のイラストについて一部領域を拡大して表示することで、見間違いや見逃しといったオペレータのミスを防止することも可能になる。
【０１４９】
（５）以上の（１）〜（４）において、調整用画像データを解析してエラーが検出された場合に、当該エラーを解消するように調整チャートの読み取りの様子が描写されたイラストを表示するため、エラーを解消するように調整チャートの載置を適切に実行して、その読み取りを適切に実行することが可能になる。
【０１５０】
（６）以上の（１）〜（５）において、画像形成装置に含まれる画像読取装置、又は、画像形成装置若しく  は画像形成システムに対して通信可能に構成された画像読取装置のいずれかにより、調整チャートを読み取って調整用画像データを生成するため、いずれかの画像読取装置で調整チャートを適切に読み取って、画像形成装置の各種調整を実行することが可能になる。
【０１５１】
（７）以上の（１）〜（６）において、調整チャートの複数の箇所を複数回に分けて読み取って一連の調整を実行する際に、調整チャートを正常に読み取った回数を表示することで、調整チャートの読み取り進行状況を把握し易くなり、調整チャートを適切に読み取って、画像形成装置の各種調整を実行することが可能になる。
【符号の説明】
【０１５２】
１  画像形成システム
１００  画像形成装置
１０１  全体制御部
１０５  操作部
１３０  入力画像処理部
１４０  画像記憶部
１４１  メモリコントローラ
１４２  ＨＤＤ
１４３  画像メモリ
１５０  出力画像処理部
１６０  給紙部
１７０  画像形成部
１７１  エンジン制御部
１７２  プリントエンジン
【図１】
2016039522.tif 000003
【図２】
2016039522.tif 000004
【図３】
2016039522.tif 000005
【図４】
2016039522.tif 000006
【図５】
2016039522.tif 000007
【図６】
2016039522.tif 000008
【図７】
2016039522.tif 000009
【図８】
2016039522.tif 000010
【図９】
2016039522.tif 000011
【図１０】
2016039522.tif 000012
【図１１】
2016039522.tif 000013
【図１２】
2016039522.tif 000014
【図１３】
2016039522.tif 000015
【図１４】
2016039522.tif 000016
【図１５】
2016039522.tif 000017
【図１６】
2016039522.tif 000018
【図１７】
2016039522.tif 000019
【図１８】
2016039522.tif 000020
【図１９】
2016039522.tif 000021
【図２０】
2016039522.tif 000022
【図２１】
2016039522.tif 000023
【図２２】
2016039522.tif 000024
【図２３】
2016039522.tif 000025
【図２４】
2016039522.tif 000026
【図２５】
2016039522.tif 000027
【図２６】
2016039522.tif 000028
【図２７】
2016039522.tif 000029